(57)【要約】      （修正有）【課題】血液等の検体が注入された状態で生体化学分析装置に配置され、検体から検出対象物を高い測定精度で検出できる検体検査チップを提供する。【解決手段】検体を注入する注入口２７を有する本体内に設けられるとともに、注入口から注入された検体を保持する注入チャンバ２８と、本体内において、注入チャンバと流路を介して接続され、注入チャンバから流入される検体と、内蔵試薬とを反応させることにより、混合液体試薬を生成させる測定チャンバ９と、を有し、本体が回転運動する際に、測定チャンバの位置する回転軌道上の本体部分に、蛍光量を測定するためのマーカチャンバ２６を備える構成とした。【選択図】図３
2014092421.tif 000002
【特許請求の範囲】
【請求項１】
検体を注入する注入口を有する本体と、
前記本体内に設けられるとともに、前記注入口から注入された検体を保持する保持チャンバと、
前記本体内において、前記保持チャンバと流路を介して接続され、前記保持チャンバから流入される検体と、内蔵試薬とを反応させることにより、混合液体試薬を生成させる測定チャンバと、を有する検体検査チップであって、
前記本体が回転運動する際に、前記測定チャンバの位置する回転軌道上の本体部分に、蛍光量を測定するためのマーカを備える
検体検査チップ。
【請求項２】
前記本体部分に、複数の前記測定チャンバと複数の前記マーカがそれぞれ連続して並んで配置される請求項１に記載の検体検査チップ。
【請求項３】
前記マーカはマーカチャンバの底部に形成される請求項１又は２に記載の検体検査チップ。
【請求項４】
前記測定チャンバの上部と前記マーカの上部に対してフィルムが跨って形成される請求項３に記載の検体検査チップ。
【請求項５】
前記マーカチャンバの深さは、前記測定チャンバの二分の一の深さである請求項３又は４に記載の検体検査チップ。
【請求項６】
前記マーカチャンバの底部は、その中央部が端部よりも深く形成される請求項３〜５のいずれか一項に記載の検体検査チップ。
【請求項７】
前記マーカは、前記マーカチャンバの底部及び側部に跨って形成される請求項３〜６のいずれか一項に記載の検体検査チップ。
【請求項８】
前記マーカチャンバは、上面から見たときの前記チップの回転運動における径方向の長さが、前記チップの回転運動における円周方向の長さよりも長い請求項３〜７のいずれか一項に記載の検体検査チップ。
【請求項９】
前記マーカは複数個形成され、それぞれのマーカの有する蛍光強度がそれぞれ異なる請求項１〜８のいずれか一項に記載の検体検査チップ。
【請求項１０】
請求項１〜９のいずれか一項に記載された検体検査チップに封入された検体から検出対象物を検出する生体化学分析装置であって、
前記検体検査チップを収納させる筐体と、
前記筐体の内部温度を調整する温度調整部と、
前記混合液体試薬を生成させる測定チャンバに対して光を照射し、前記混合液体試薬から発せされる蛍光量を測定する光学部と、
を有する生体化学分析装置。
【請求項１１】
前記検体検査チップが前記筐体内に挿入された際に、前記検体検査チップが備える貫通孔を介して、前記検体検査チップを保持するチップ回転保持部を備える請求項１０に記載の生体化学分析装置。
【請求項１２】
前記検体検査チップに付されたデータに基づき、前記光学部を介して測定したマーカの蛍
光量を補正するデータ補正部を設けた請求項１０又は１１に記載の生体化学分析装置。
【発明の詳細な説明】
【技術分野】
【０００１】
本発明は、検体検査チップ、及び、それを用いる生体化学分析装置に関するものであり、例えば、血液等の検体が注入された状態で生体化学分析装置に配置され、検体から検出対象物を検出するための検体検査チップ、それを用いる生体化学分析装置に関するものである。
【背景技術】
【０００２】
従来、上記のように用いられる検体検査チップとしては、検体を注入する注入口を有する本体と、前記本体内に設けられるとともに、前記注入口から注入された検体を保持する保持チャンバと、前記本体内において、前記保持チャンバと流路を介して接続され、前記保持チャンバから流入される検体と、内蔵試薬とを反応させることにより、混合液体試薬を生成させる測定チャンバと、を有していた。（例えば、特許文献１）。
【先行技術文献】
【特許文献】
【０００３】
【特許文献１】国際公開第２００８／１０６７１９号
【発明の概要】
【発明が解決しようとする課題】
【０００４】
上記の従来例における課題は、その検体検査チップを用いて生体化学分析を行うと、その蛍光量の測定の精度が低くなることであった。
【０００５】
具体的には、このような検体検査チップを用いて生体化学分析を行う際、生体化学分析装置内の光学部は、測定チャンバ内の混合液体試薬に対して光を照射し、照射された混合液体試薬から発せられる蛍光量を測定する。このとき、生体化学分析装置では、その測定精度を高くするために、混合液体試薬を反応させるべく、検体検査チップ近傍の温度を調整するための温度調整部を設けている。
【０００６】
しかしながら、生体化学分析装置の小型化を想定すると、この温度調製部と光学部との物理的な距離が近くなるために、光学部が温度調整部の影響を受けて温度が不安定となり、それに伴って、光学部の検出する蛍光量が変化してしまうことになる。この変化により、光学部の蛍光量の測定の精度が低くなるのであった。つまり、検体検査に対する測定精度が低くなるのであった。
【０００７】
そこで本発明は、検体検査チップを用いて生体化学分析を行う際に、その測定の精度を高くすることを目的とする。
【課題を解決するための手段】
【０００８】
そしてこの目的を達成するために、本発明における検体検査チップは、検体を注入する注入口を有する本体と、前記本体内に設けられるとともに、前記注入口から注入された検体を保持する保持チャンバと、前記本体内において、前記保持チャンバと流路を介して接続され、前記保持チャンバから流入される検体と、内蔵試薬とを反応させることにより、混合液体試薬を生成させる測定チャンバと、を有し、前記本体が回転運動する際に、前記測定チャンバの位置する回転軌道上の本体部分に、蛍光量を測定するためのマーカを備えるものであり、これにより所期の目的を達成するものである。
【発明の効果】
【０００９】
以上のように本発明における検体検査チップは、検体を注入する注入口を有する本体と、前記本体内に設けられるとともに、前記注入口から注入された検体を保持する保持チャンバと、前記本体内において、前記保持チャンバと流路を介して接続され、前記保持チャンバから流入される検体と、内蔵試薬とを反応させることにより、混合液体試薬を生成させる測定チャンバと、を有し、前記本体が回転運動する際に、前記測定チャンバの位置する回転軌道上の本体部分に、蛍光量を測定するためのマーカを備えるため、この検体検査チップを用いて生体化学分析を行う際に、その測定の精度を高くすることができる。
【００１０】
すなわち、本発明における検体検査チップの本体が回転運動する際に、生体化学分析装置の光学部は、検体検査チップの測定チャンバにおける混合液体試薬に対して光を照射して、混合液体試薬から発せられる蛍光量を測定するのであるが、この測定チャンバの位置する回転軌道上において、蛍光量を測定するためのマーカを備えることにより、マーカから発せられる蛍光量を測定することが可能となる。マーカから発せられる蛍光量は、温度調整部の影響をより顕著に反映するため、このマーカから発せられる蛍光量の変化を基にして、混合液体試薬から発せられる蛍光量を補正することができ、その結果として、生体化学分析装置を小型化して光学部が温度調製部の影響を受ける環境においても、その蛍光量の測定精度を高くすることができるのである。つまり、測定精度を高くすることができるのである。
【図面の簡単な説明】
【００１１】
【図１】本発明の実施の形態における生体化学分析システムの概観図
【図２】本発明の実施の形態における生体化学分析装置１の内部構成図
【図３】本発明の実施の形態における検体検査チップ２の内部構成図
【図４】（ａ）（ｂ）本発明の実施の形態における検体検査チップ２のＡ−Ａ断面図
【図５】本発明の実施の携帯におけるマーカチャンバ２６及び検出エリアの上面図
【図６】（ａ）本発明の実施の形態におけるマーカの蛍光量の説明図、（ｂ）蛍光ポリマー希釈液の濃度と蛍光量との関係図
【図７】本発明の実施の形態における生体化学分析装置１の測定のフローチャート
【図８】本発明の実施の形態における蛍光量の変化の説明図
【図９】本発明の実施の形態における蛍光量の関係式の説明図
【発明を実施するための形態】
【００１２】
以下に、本発明の実施形態における生体化学分析システムについて、図面とともに詳細に説明する。
（実施の形態１）
図１は、本発明の実施の形態における生体化学分析システムの概観図である。この生体化学分析システムは、検体から検出対象物を検出する生体化学分析装置１と、その検体を封入可能な検体検査チップ２とから構成される。この生体化学分析装置１は、病院や診療所等において、生体化学を分析するための装置である。
【００１３】
より具体的には、検体検査チップ２に血液等の検体を点着した後、生体化学分析装置１に設けられたチップ投入口３から検体検査チップ２をセットし、検体から検出対象物の検出を行い、生体化学分析を行う。生体化学分析装置１の前面には、タッチパネル４が設けられている。ユーザは、タッチパネル４を用いて測定開始操作、及び、測定中止操作を行う。
【００１４】
図２は、検体検査チップ２が挿入された状態における、生体化学分析装置１の内部構成図である。
【００１５】
生体化学分析装置１は、主に、回転機構部５、温度調整部６、光学部７、データ補正部８から構成される。
【００１６】
図３は、検体検査チップ２の内部構成図（平面模式図）である。検体検査チップ２は、封入された検体を保持し、あらかじめ内部に保持された試薬と反応させることにより、混合液体試薬を生成させる複数の測定チャンバ９を備える。
【００１７】
以下に、生体化学分析装置１及び検体検査チップ２を構成する各部について、上述と同様に図２及び図３を用いて、詳細に説明を行う。
【００１８】
回転機構部５は、挿入された検体検査チップ２を保持するチップ保持部１０と、チップ保持部１０に対してシャフトにより接続され、検体検査チップ２を回転運動させるモータ１１と、から構成される。
【００１９】
温度調整部６は、検体検査チップ２を覆う筐体１２と、筐体１２の内部を加温するヒータ１３と、筐体１２の内部の温度を測定する温度センサ１４とから構成される。温度調整部６は、筐体１２の内部に位置するヒータ１３の通電制御をすることにより、筐体１２の内部温度、及び、検体検査チップ２の温度を一定に保つことができる。
【００２０】
光学部７は、光源１５、集光レンズ１６、照明用フィルタ１７、ダイクロイックミラー１８、対物レンズ１９、蛍光用フィルタ２０、検出部２１から構成される。光源１５（波長470nmLED）の光は、集光レンズ１６において集光され、照明用フィルタ１７を通過する。この際、照明用フィルタ１７は、430〜490ｎｍ透過のバンドパスフィルタであり、その透過特性により、蛍光標識の照明波長の光は透過するものの、蛍光波長の光はカットされる。通過した光は、ダイクロイックミラー１８で反射され、対物レンズ１９で集光され、検体検査チップ２の内部の測定チャンバ９に格納された混合試薬を照明する。その混合試薬から発せられる蛍光は、対物レンズ１９で集光される。集光された蛍光は、ダイクロイックミラー１８と蛍光用フィルタ２０を透過する。この際、ダイクロイックミラー１８は、430〜490nmを反射、510〜560nmを透過するため、照明波長は反射され、蛍光波長は透過される。また、蛍光用フィルタ２０は、510〜560nm透過のバンドパスフィルタであり、その透過特性により、照明用波長はカットされ、蛍光波長は透過される。そして、ダイクロイックミラー１８と蛍光用フィルタ２０を透過した蛍光に対して、検出部２１において蛍光量の測定が行われる。
【００２１】
データ補正部８は、アンプ回路２２、アナログデータ処理部２３、及び、ディジタルデータ処理部２４から構成される。アンプ回路２２は、検出器２１から出力された信号を増幅する。アナログデータ処理部２３は、アンプ回路２２において増幅された信号を、ディジタル値に変換する。ディジタルデータ処理部２４は、アナログデータ処理部２３において変換されたディジタル値を収集・解析等の処理を行う。
【００２２】
次に、検体検査チップ２の内部構成について、図３を用いて説明を行う。検体検査チップ２の本体は、その材質はABS樹脂であり、図１からも理解されるように、その二辺が湾曲した略長方形の形状を有し、図３のごとくこの本体の中央部に貫通孔２５を有する。図２に記載されているように、検体検査チップ２を生体化学分析装置１に挿入すると、この貫通孔２５にチップ保持部１０が挿入されて、検体検査チップ２は生体化学分析装置１の内部において固定される。検体検査チップ２の一側面には、溝やリザーバが形成されている（図示は省略）。
【００２３】
図３に戻って説明を続けると、測定チャンバ９（ｃｈ１〜ｃｈ６）とマーカチャンバ２
６（Ｍａｒｋ１〜Ｍａｒｋ４）が、同心円状に配置される。これらの測定チャンバ９とマーカチャンバ２６は、それぞれ等間隔になるように配置する。マーカチャンバ２６とは、その底部にマーカを備え、光学部７がその蛍光量を測定するために用いられるものである。このとき、測定チャンバ９は３ｍｍ×４ｍｍ×（深さ）２ｍｍ、マーカチャンバ２６は１ｍｍ×４ｍｍ×（深さ）１ｍｍとする。
【００２４】
検体検査チップ２を用いて検体の流れを説明すると、まず、検体は注入口２７から点着され、点着された検体は注入チャンバ２８に一時的に格納される。そして、測定チャンバ９は、この注入チャンバ２８と複数の流路を介して接続されており、回転機構部５を用いて検体検査チップ２を回転させるため、検体はその回転によって働く遠心力を利用して測定チャンバ９へ送られる。ここで、測定チャンバ９には、反応に必要な試薬があらかじめ封入されており、検体とこの試薬とを、遠心力を利用して混合させることにより、混合液体試薬を生成する。また、測定チャンバ９及びマーカチャンバ２６の上面には、図４（ａ）のようにフィルム２９が跨って形成されており、内部にチャンバ領域が形成される。フィルム２９の材質はアクリル樹脂（PMMA）であり、その厚さは０．３ｍｍとし、レーザを用いて溶着させる。
【００２５】
次に、マーカチャンバ２６の具体的な構成及び形成方法について説明する。
【００２６】
まず、図３の検体検査チップ２の弧Ａ−Ａの断面図である図４（ａ）において示されるように、マーカチャンバ２６の深さが、測定チャンバ９の深さに対して二分の一になるように、マーカチャンバ２６は形成される。このように形成すると、光学部７がこれらのチャンバの蛍光量を検出する際に、測定チャンバ９のほぼ中央部に光学的な結像位置が一致することになる。測定チャンバ９には、混合液体試薬が満たされるように内部に存在するため、光学的な結像位置が測定対象であり、混合液体試薬の中央付近に位置するように、検出することができるようになり、その結果として蛍光量が大きくなって効率の良い検出が可能となるのである。
【００２７】
検体検査チップ２に対するマーカチャンバ２６の形成方法の具体例について、以下に述べる。まず、図４（ａ）のように、マーカチャンバ２６に該当する部分を抜き出した形状に検体検査チップ２を形成したうえで、マーカチャンバ２６に蛍光ポリマー粒子希釈液を点着する。
【００２８】
このとき、マーカチャンバ２６は蛍光ポリマー粒子希釈液にて満たされる。次に、蛍光ポリマー粒子希釈液を室温にて自然乾燥させる。湿度は４０％以下程度の低湿度であることが望ましい。このようにすると、乾燥した蛍光ポリマー粒子は、マーカチャンバ２６の側部にも底部にも付着され、十分な蛍光量を確保できる。そして、フィルム２９をレーザ溶着させて形成する。フィルム２９を形成した後に、乾燥したマーカの蛍光量をチェックする。このチェックは、生体化学分析装置１の光学部７を用いて、その蛍光量を測定して行い、蛍光量が仕様内の値であるか否かを確認する。そして最後に、測定した蛍光量情報をバーコードとして検体検査チップ２に貼付する。
【００２９】
さて、図４（ａ）においては、検体検査チップ２に対して測定チャンバ９、及び、マーカチャンバ２６に該当する部分を抜き出して、図示されている構成を実現する手段を説明したが、以下のように図４（ｂ）において示される構成も考えられる。
【００３０】
すなわち、検体検査チップ２に対してまず、測定チャンバ９、及び、マーカチャンバ２６に該当する部分に貫通孔を設ける。そして貫通孔の空いた検体検査チップ２の上面に対して、レーザ溶着を用いてフィルム２９を貼り付ける。次に、図５に示されるような測定チャンバユニット３０の上面に対して、検体を反応させるための試薬を点着した後、試薬
を乾燥させて測定チャンバユニット３０の上面に固定させる。また、マーカチャンバユニット３１の上面に対して、蛍光ポリマー粒子を塗布する。そして、検体検査チップ２の裏面から、測定チャンバユニット３０およびマーカチャンバユニット３１を、接着剤を用いて取り付ける。
【００３１】
このように検体検査チップ２を形成する場合であっても、図４（ａ）のように形成する場合と同様に、マーカチャンバ２６の深さは、測定チャンバ９の深さの二分の一となるように形成する。
【００３２】
この場合における、検体検査チップ２に対するマーカチャンバ２６の形成方法の具体例について、以下に述べる。まず、図４（ｂ）のような貫通孔が空いた形状に検体検査チップ２を形成したうえで、マーカチャンバユニット３１の上面に蛍光ポリマー粒子を塗布する。この蛍光ポリマー粒子の塗布は、コーティングにより施す。具体的には、蛍光ポリマー粒子をコロイド状に浮遊させた蛍光ポリマー粒子希釈液を生成し、生成された希釈液を塗布専用のエアスプレー装置を用いて塗布する。他の手法としては、静電気印加スプレー、浸漬法等を用いてもよい。いずれかの手法によって、蛍光ポリマー粒子希釈液をマーカチャンバユニット３１の上面に付着させた後に、乾燥して固定させる。
【００３３】
なお、マーカの蛍光量は、蛍光ポリマー粒子希釈液の濃度を変える、又は、蛍光ポリマー粒子希釈液の塗布と乾燥の工程を繰り返すことにより、調整することができる。
【００３４】
次に、マーカチャンバ２６の上から見たときの形状は、図５において示されるように、長穴形状である。ここで、マーカチャンバ２６の寸法に関しては、回転運動を行う検体検査チップ２における円周方向側の長さは、検出エリアの直径と同等の長さであり、同様に回転運動を行う検体検査チップ２における径方向の長さは、検出エリアの直径よりも長いものとする。このようにすると、検体検査チップ２の回転運動に伴って円周方向はマーカチャンバ２６の動作方向になるため、マーカチャンバ２６の円周方向（短軸）の長さを検出エリア直径と同等に設定することにより、外乱光を防ぐことができ、光学部７はより精度の高い検出が可能となるのである。また、マーカチャンバ２６の径方向（長軸）の長さを検出エリアの長さよりも長く設定することにより、検体検査チップ２を挿入する際に誤差が生じる場合にも、マーカを用いた蛍光量の測定を確実に行うことができるようになる。実際には例えば、検出エリアの直径が１ｍｍである場合、マーカチャンバ２６の径方向（長軸）の長さを４ｍｍ、円周方向（短軸）の長さを１ｍｍというように設定すればよい。
【００３５】
さらに、マーカチャンバ２６の底面の深さについては、図４では底面が水平に形成されているものの、その底面の中央部が端部よりも深く形成されてもよい。
【００３６】
特に、マーカチャンバ２６の底面の面積が広い場合、又は、貼付するマーカの量が少なくて、測定のために必要な位置にマーカを点着させることが困難である場合には、この手法を用いることにより、点着させるマーカを中央部に集中させやすくすることができるため、有効性が高い。
【００３７】
マーカチャンバ２６に塗布されるマーカの有する蛍光量に関して、図６を用いて説明する。
【００３８】
本実施の形態では、マーカチャンバ２６におけるマーカは、同心円周上に配置した４種類のマーカ（Ｍａｒｋ１〜Ｍａｒｋ４）を用いているが、図６（ａ）に示すように、例えば４つのマーカの蛍光量が正比例の特性を有して異なるように、これらのマーカの蛍光量を調整する。この調整は、マーカチャンバ２６に点着する蛍光ポリマー希釈液の濃度によ
って調整する。より具体的には、図６（ｂ）に示すように、所定の分量における蛍光ポリマー希釈液の濃度とマーカの蛍光量とは正比例関係にあるため、この関係を利用して、それぞれのマーカに対して濃度の異なる蛍光ポリマー希釈液を点着させる。
【００３９】
以下に、本実施の形態の生体化学分析装置１における測定の流れについて、図７を用いて説明する。
【００４０】
まず、検体検査チップ２に血液等の検体を点着し、生体化学分析装置１のチップ投入口３から検体検査チップ２をセットし、生体化学分析装置１の前面にあるタッチパネル４により測定開始操作を行う。
【００４１】
次に、検体検査チップ２の挿入チェックを行う（Ｓ１）。その際、検体検査チップ２の厚さ６ｍｍの湾曲した側面部には、バーコードが設けられているので、作業者はこのバーコードを読み取り、処理チップが挿入されていることを確認する。また、バーコードにより、検体検査チップ２に施されている乾燥試薬の種類を読み取ることができる。さらに、バーコードにより、マーカの出荷前の蛍光量を示す値を読み取ることができる。
【００４２】
そして、温度調整を開始する（Ｓ２）。ヒータ１３により、検体検査チップ２を覆う筐体１２の内部を加温し、温度センサ１４により、筐体１２の内部のヒータ１３を制御する。これにより、筐体１２の内部温度を一定（６０℃）に保つ。
【００４３】
次に、検体を充填させる（Ｓ３）。回転機構部５により、検体検査チップ２を回転させ（回転数２５００ｒｐｍ）、遠心力により測定チャンバ９へ検体を移動させる。
【００４４】
そして、あらかじめ測定チャンバ９に乾燥点着している試薬と、充填した検体と、を、検体検査チップ２を回転させて生じる遠心力により攪拌し、混合液体試薬を生成する（Ｓ４）。
【００４５】
さらに、回転機構部５により、検体検査チップ２を回転させ（回転数240rpm）、光学部７は、測定チャンバ９（ｃｈ１〜６）に充填された混合液体試薬、および、マーカチャンバ２６のマーカ（Ｍａｒｋ１〜４）の蛍光量を検出（スキャン）する（Ｓ５）。
【００４６】
そしてさらに、データ補正部８は、マーカ（Ｍａｒｋ１〜４）の蛍光量をもとに、補正係数αおよびβを算出し（Ｓ６）、補正係数をもとに、測定チャンバ（ｃｈ１〜６）に充填された混合液体試薬の蛍光量を補正する（Ｓ７）。光学部７の検出は１分毎に行い、その総時間は４０分以上とする（Ｓ８）。
【００４７】
そして、測定チャンバ９（ｃｈ１〜６）に充填された混合液体試薬の蛍光量がある閾値を超えた場合、陽性判定として、タッチパネル４に「陽性」と表示し、ある閾値を超えない場合、陰性判定として、タッチパネル４に「陰性」と表示し、ユーザに知らせる（Ｓ９）。最後に、検体検査チップ２を覆う筐体１２の内部を、冷却ファンにより空冷する（Ｓ１０）。
【００４８】
ここで上述のうち、データ補正部８におけるマーカを用いた蛍光量の補正の具体的な手段について、図８及び図９を用いて説明する。
【００４９】
図８の蛍光量の変化図において示されるように、光学部７は、測定チャンバ９（ｃｈ１〜６）の混合液体試薬、及び、マーカチャンバ２６（Ｍａｒｋ１〜４）のマーカに対してその蛍光量を測定する。Ｓ1+1〜Ｓ6+n、Ｓm1+1〜Ｓm4+nはそれぞれ、時間ｔ1〜ｔnにおける測定チャンバ９及びマーカチャンバ２６において測定される蛍光量である。そして、測
定チャンバ９（ｃｈ１〜６）の混合液体試薬においても、マーカチャンバ２６（Ｍａｒｋ１〜４）のマーカにおいても、その蛍光量は時間とともに少なくなる。
【００５０】
このうち、マーカチャンバ２６（Ｍａｒｋ１〜４）のマーカ毎の蛍光量の変化は、図９に示されるように、出荷前（ｔ＝t0）と測定時（ｔ＝tn）においてそれぞれ傾きの異なる線形の性質を有する。この性質を用いて、測定チャンバ９（ｃｈ１〜６）の混合液体試薬における蛍光量を補正する。
【００５１】
具体的には、図９に示されるように、出荷前のマーカチャンバ２６（Ｍａｒｋ１〜４）の蛍光量Ｓm1〜Ｓm4を基にして、一次関係式（Ｓ＝αt0×Ｍ＋βt0）を生成して定数αt0、βt0を算出する。このうち、Ｓは蛍光量（Ｓm1〜Ｓm4）であり、Ｍはマーカ（１〜４）である。そして、測定時（ｔ＝tn）においてもマーカチャンバ２６（Ｍａｒｋ１〜４）の蛍光量（Ｓm1+tn〜Ｓm4+tn）を基にして、一次関係式（Ｓ＝αtn×Ｍ＋βtn）を生成して定数αtn、βtnを算出しておき、これらの補正式により測定チャンバの蛍光量の補正式（ＳＭ＝（αt0／αtn）×（Ｓch−βt0）+βtn）を導く。このうち、Ｓchは測定チャンバ９（ｃｈ１〜６）の測定時（ｔ＝tn）における測定された蛍光量（ch＝１〜６）であり、ＳＭは補正後の蛍光量である。
【００５２】
なお、出荷前に付与する蛍光量情報は、すべてのマーカの蛍光量情報を付与する必要はなく、上述の定数αt0、βt0のみを付与すればよい。
【産業上の利用可能性】
【００５３】
上述のように、本発明における生体化学分析システムは、その蛍光量の測定の精度を高くすることができるものであるため、例えば、血液等の検体からウィルス等の検出対象物を検出する際に用いられる生体化学分析システムにおいて有用である。
【符号の説明】
【００５４】
１  生体化学分析装置
２  検体検査チップ
３  チップ投入口
４  タッチパネル
５  回転機構部
６  温度調整部
７  光学部
８  データ補正部
９  測定チャンバ
１０  チップ保持部
１１  モータ
１２  筐体
１３  ヒータ
１４  温度センサ
１５  光源
１６  集光レンズ
１７  照明用フィルタ
１８  ダイクロイックミラー
１９  対物レンズ
２０  蛍光用フィルタ
２１  検出器
２２  アンプ回路
２３  アナログデータ処理部
２４  ディジタルデータ処理部
２５  貫通孔
２６  マーカチャンバ
２７  注入口
２８  注入チャンバ
２９  フィルム
３０  測定チャンバユニット
３１  マーカチャンバユニット
【図８】
2014092421.tif 000003
【図９】
2014092421.tif 000004
【図１】
2014092421.tif 000005
【図２】
2014092421.tif 000006
【図３】
2014092421.tif 000007
【図４】
2014092421.tif 000008
【図５】
2014092421.tif 000009
【図６】
2014092421.tif 000010
【図７】
2014092421.tif 000011